(57)【要約】本発明は、家具又は家庭用器具(１)の本体(２)から棚(９)を引き出し且つ上昇させる、家具又は家庭用器具の棚(９)のスライド回転機構に関する。スライド回転機構は、本体(２)の少なくとも１つの側壁(２１)に側壁(２１)の平面に平行な第１の端部によって回転可能に固定され、互いに距離を置いて平行に配置された少なくとも２つの回転アーム(４１、４２)を備え、回転アーム(４１、４２)の第２の端部にてスライド機構(３)のガイドレール(３１)が側壁(２１)の平面に平行に回転可能に固定され、ガイドレール(３１)は本体(２)内の下部位置から少なくとも一部が本体(２)の外側である上昇した位置に回転し、ガイドレール(３１)内で線形に変位可能であり、棚(９)が固定される少なくとも１つの走行レール(３２)を備え、スライド回転機構は回転機構(４)の上昇と下降を支持し、側壁(２１)の平面に平行に走行レール(３２)に回転可能に固定される。第１の連結ユニット(７)の少なくとも１つの連結要素がレバーユニット(５)に配置され、走行レール(３２)を所定の回転位置に変位させることによって、連結要素は連結要素に対応した第１の連結ユニット(７)の対応する要素を用いて少なくとも１つの回転アーム(４１、４２)に連結される。本発明はスライド回転機構を有する家具、及びスライド回転機構を有する家庭用器具に関する。【選択図】図１３
2021524301.tif 000002
【特許請求の範囲】
【請求項１】
家具又は家庭用器具の本体(２)から棚(９)を引き出し且つ上昇させる、家具又は家庭用器具の棚(９)のスライド回転機構であって、
本体(２)の少なくとも１つの側壁(２１)に回転可能に固定され、側壁(２１)の平面に平行な第１の端部を備え、互いに離れて平行に配置された少なくとも２つの回転アーム(４１、４２)と、
回転アーム(４１、４２)の各第２の端部にて、側壁(２１)の平面に平行となるように回転可能に固定され、本体(２)の内側の下部位置から、少なくとも一部が本体(２)の外側である上昇位置に回転可能であるたスライド機構(３)のガイドレール(３１)と、
前記ガイドレール(３１)内で線形に変位可能であり、棚(９)が固定される少なくとも１つのスライドレール(３２)と、
回転機構(４)の上昇と下降を補助し、側壁(２１)の平面に平行にスライドレール(３２)に回転可能に固定されるレバーユニット(５)を備えたスライド回転機構において、
前記レバーユニット(５)上に第１の連結ユニット(７)の少なくとも１つの連結要素(７)が配置され、該連結要素は、スライドレール(３２)を所定の回転位置に移動させることによって、少なくとも１つの回転アーム(４１、４２)の第１の連結ユニット(７)の連結要素に対応する要素と連結され得る、スライド回転機構。
【請求項２】
前記スライドレール(３２)又は棚(９)に、第２の連結ユニット(８)の少なくとも１つの連結要素が配置されて、スライドレール(３２)を所定の回転位置に変位させることによって、連結要素は少なくとも１つの回転アーム(４１、４２)の第２の連結ユニット(８)の対応する要素に連結される、請求項１に記載のスライド回転機構。
【請求項３】
前記第１の連結ユニット(７)の連結要素は、対応する要素に案内されるスライド要素又は回転要素(７１)として構成され、該対応する要素は少なくとも１つの回転アーム(４１、４２)上に形成されて、スロットガイド(７２)として構成されて、前記レバーユニット(５)の回転動作を連続して制御する、請求項１又は２に記載のスライド回転機構。
【請求項４】
前記第２の連結ユニット(８)の連結要素は、対応する要素に案内されるスライド要素又は回転要素(８１)として構成され、該対応する要素は少なくとも１つの回転アーム(４１、４２)上に形成されて、スロットガイド(８２)として構成されて、回転機構(４)の回転動作を連続して制御する、請求項２に記載のスライド回転機構。
【請求項５】
前記第１の連結ユニット(７)及び第２の連結ユニット(８)のスロットガイド(７２、８２)は少なくとも１つの回転アーム(４１、４２)上に配置された、請求項３又は４に記載のスライド回転機構。
【請求項６】
前記第１の連結ユニット(７)のスロットガイド(７２)は、回転アーム(４１、４２)の第１の回転アームに配置され、前記第２の連結ユニット(８)のスロットガイド(８２)は、回転アーム(４１、４２)の第２の回転アームに配置された、請求項３又は４に記載のスライド回転機構。
【請求項７】
前記第１の連結ユニット(７)の連結要素は、スロットガイド(７２)として構成され、少なくとも１つの回転アーム(４１、４２)上に配置されローラ(７１)として構成された対応する要素は前記レバーユニット(５)の回転動作を連続して制御するために案内される、請求項１又は２又は４に記載のスライド回転機構。
【請求項８】
前記レバーユニット(５)は少なくとも１つのレバーアーム(５１)を有し、該レバーアーム(５１)は側壁(２１)の平面に平行なスライドレール(３２)上に第１の端部を用いて回転可能に固定され、該レバーアーム(５１)上に前記第１の連結ユニット(７)の連結要素又は対応する要素が固定される、請求項１乃至７の何れかに記載のスライド回転機構。
【請求項９】
前記レバーアーム(５１)の端部上に、レバーアーム取付け部(３４)に接近してジョイントチェーンが回転可能に固定され、レバーアーム(５１)から離れたジョイントチェーンの端部上に、ローラ(７１)として構成された第１の連結ユニット(７)の対応する要素が回転可能に固定される、請求項１乃至７の何れかに記載のスライド回転機構。
【請求項１０】
前記ジョイントチェーンは、回転可能な関節の方法で互いに結合された少なくとも２つのチェーンリンク(５３、５４)を有する、請求項９に記載のスライド回転機構。
【請求項１１】
前記第２の連結ユニット(８)の連結要素は、少なくとも１つの回転アーム(４１、４２)上に回転可能に配置されたスライド又は回転要素(８１)として構成され、該スライド又は回転要素(８１)はレバーアーム取付け部(３４)に形成されスロットガイド(８２)として構成された対応する要素に案内されて、回転機構(４)の回転動作を連続して制御する、請求項１乃至３及び９及び１０の何れかに記載のスライド回転機構。
【請求項１２】
前記第１の連結ユニット(７)又は第２の連結ユニット(８)のスロットガイド(７２、８２)の少なくとも一部は入口領域(７３、８３)を有するように形成される、請求項１１に記載のスライド回転機構。
【請求項１３】
前記第１の連結ユニット(７)又は第２の連結ユニット(８)のスロットガイド(７２、８２)の少なくとも一部は、部分的に円形に形成される、請求項１１又は１２に記載のスライド回転機構。
【請求項１４】
前記第１の連結ユニット(７)又は第２の連結ユニット(８)のスロットガイド(７２、８２)の少なくとも一部は、様々な曲線半径を有する曲線として形成される、請求項１１乃至１３の何れかに記載のスライド回転機構。
【請求項１５】
前記第１の連結ユニット(７)のスロットガイド(７２)の一部は、死点領域として形成された、請求項７又は１２に記載のスライド回転機構。
【請求項１６】
前記第１の連結ユニット(７)のスロットガイド(７２)の少なくとも一部は、最適な作動力曲線に適合された傾斜を有する、請求項７又は１２に記載のスライド回転機構。
【請求項１７】
棚(９)が完全に引き出される前にレバーユニット(５)を上昇させないようにするための安全装置、及び/又は上昇及び/又は下降中にレバーユニット(５)を過度に回転させないようにするための安全装置が配備される、請求項１乃至１６の何れかに記載のスライド回転機構。
【請求項１８】
家具本体(２)とスライド回転機構によって家具本体(２)に固定された少なくとも１つの棚(９)を有して、スライド回転機構を用いて棚(９)は家具本体(２)から引き出されて上昇される家具において、
スライド回転機構は請求項１乃至１７の何れか１つ以上に従って構成される、家具。
【請求項１９】
使用可能なスペース(２２)、特に洗浄用スペース又は調理用スペース又は冷却用市ペースの内側にスライド回転機構によって固定される少なくとも１つの棚(９)を有して、該スライド回転機構を用いて棚(９)は使用可能なスペースから引き出されて上昇される、家庭用器具、特に食器洗い機(１)又は調理機器又は冷蔵庫において、
スライド回転機構は請求項１乃至１７の何れか１つ以上に従って構成される、家庭用器具。
【発明の詳細な説明】
【技術分野】
【０００１】
本発明は、請求項１の前文による家具又は家庭用器具の棚のスライド回転機構、及び家具又は家庭用器具に関する。
【背景技術】
【０００２】
そのようなスライド回転機構は例えば、底棚、特に食器ラックを昇降させる食器洗い機に使用されて、ユーザの直立位置での棚の積み下ろしを可能にして、背筋と脊柱を和らげる。
一般的なスライド回転機構は、例えばドイツ公開公報102014114285号から公知である。その中に記載されたスライド回転機構は、本質的に、引張りばねの助けを借りて棚の上昇または下降を補助する２つのピボットレバーを有する引き出しガイド及び回転機構を有する。
【０００３】
ユーザによるスライド回転機構の動作は、この場合、回転機構の昇降を補助するレバーユニットにより実行される。このレバーユニットを使用することで、より簡単な省力化した棚の昇降が既に可能である。
本発明の目的は、加えられる作動力が更に減らせるような方法でスライド回転機構を改善することにある。
【発明の概要】
【０００４】
この目的は、請求項１の特徴を有する家具又は家庭用器具の棚のスライド回転機構によって達成される。
述べた目的は、更に請求項１８の特徴を有する家具及び請求項１９の特徴を有する家庭用器具によって達成される。
【０００５】
本発明によるスライド回転機構は、本体の少なくとも１つの側壁に回転可能に固定され、側壁の平面に平行な第１の端部を備え、互いに離れて平行に配置された少なくとも２つの回転アームを有する、
回転アームの各第２の端部にて、スライド機構のガイドレールが側壁の平面に平行となるように回転可能に固定され、ガイドレールは本体の内側の下部位置から少なくとも一部が本体の外側である上昇位置に回転可能である。
【０００６】
スライドレールがガイドレール内で線形に変位可能である。棚がスライドレールに固定される。
スライド回転機構は更にレバーユニットを有し、該レバーユニットは回転機構の上昇と下降を補助し、側壁の平面に平行にスライドレールに回転可能に固定される。
【０００７】
第１の連結ユニットの少なくとも１つの連結要素がレバーユニットに配置され、該連結要素は、スライドレールを所定の回転位置に移動させることによって、少なくとも１つの回転アームの第１の連結ユニットの連結要素に対応する要素と連結され得る。
スライド回転機構に一体化されたそのようなレバーユニットを使用して、レバーユニットと少なくとも１つの回転レバーとの単純な結合が、スライドレール及び対応するレバーユニットを単に前方にスライドさせて回転位置または上昇位置にすることによって可能になる。
【０００８】
棚を上昇させるのに必要な作動力は、このアプローチによって更に減じられる、何故なら第１の連結ユニットは、用途に固有の持ち上げ移行路と作動移行路の比率の適合化を可能にするためである。
有利な実施形態の変形例は、従属請求項の主題事項である。
【０００９】
有利な実施形態の変形例によれば、第２の連結ユニットの少なくとも１つの連結要素が、スライドレール又は棚に配置されて、スライドレールを所定の回転位置に変位させることによって、連結要素は少なくとも１つの回転アームの第２の連結ユニットの対応する要素に連結される。
これにより、上昇及び下降工程の更に正確な連続制御が可能になる。
【００１０】
更なる有利な実施形態の変形例によれば、第１の連結ユニットの連結要素は、対応する要素に案内されるスライド要素又は回転要素として、好ましくはスライドピン又はローラとして構成され、該対応する要素は少なくとも１つの回転アーム上に配置、特に形成されて、スロットガイドとして構成されて、前記レバーユニットの回転動作を連続して制御する。
スライド要素又は回転要素及びスロットガイドとしての連結ユニットの要素の構成により、複雑な連結が使用される必要なくして、各要素の簡単な連結が可能になる。
【００１１】
連結及び非連結は、追加の作動要素または特別なロック解除動作なしで実行でき、従って、滑らかに連続した連結又は非連結を可能にする。
更なる実施形態の変形例による第２の連結ユニットの連結要素は、対応する要素に案内されるスライド要素又は回転要素として、好ましくはスライドピン又はローラとして構成され、該対応する要素は少なくとも１つの回転アーム上に配置、特に形成されて、スロットガイドとして構成されて、回転機構の回転動作を連続して制御する。或いは、スロットガイドは１つの回転アーム上に配置された別個の要素にも形成され得る。
【００１２】
１つの特定の実施形態の変形例によれば、第１の連結ユニット及び第２の連結ユニットのスロットガイドは少なくとも１つの回転アーム上に配置される。
これにより、回転アームの一方を比較的簡単に構成し、他方の回転アームのみにスロットガイドを形成することができる。
【００１３】
代替の実施形態の変形例によれば、第１の連結ユニットのスロットガイドは、回転アームの第１の回転アームに配置され、特に形成され、第２の連結ユニットのスロットガイドは、回転アームの第２の回転アームに配置され、特に形成される。
更なる実施形態の変形例によれば、第１の連結ユニットの連結要素はスロットガイドとして構成され、少なくとも１つの回転アーム上に配置されローラとして構成された対応する要素はレバーユニットの回転動作を連続して制御するために案内される。
【００１４】
１つの好ましい実施形態の変形例によれば、レバーユニット自体は少なくとも１つのレバーアームを有し、該レバーアームは側壁の平面に平行なスライドレール上に第１の端部を用いて回転可能に固定され、該レバーアーム上に第１の連結ユニットの連結要素又は対応する要素が固定される。
回転アーム、引出しガイド、第１の連結ユニット及び/又はレバーユニットの少なくとも１つはここでは、レバーユニットの制御された連続動作が確実にあるように構成される。特に、棚を早めに上昇させたり、レバーユニットを棚の終端位置を超えて動かしたりすることが従って防止される。
【００１５】
回転アーム、引出しガイド、第１の連結ユニット及び/又はレバーユニットは有利なことに、対応するストッパ及び/又はガイド領域を有する。
特に、対応するガイド領域がレバーユニットと回転アームの少なくとも１つに設けられており、棚が早すぎる時期に回転されるのを防ぐ。或いは、ガイド領域の代わりに、対応する要素もガイド領域と相互作用する。
【００１６】
更なる好ましい実施形態の変形例によれば、レバーアームの端部上に、レバーアーム取付け部に接近してジョイントチェーンが回転可能に固定され、レバーアームから離れたジョイントチェーンの端部上に、ローラとして構成された第１の連結ユニットの対応する要素が回転可能に固定される。
作動レバーとスロットガイドの間のそのような接続リンクの補助により、作動レバーとスロットガイドを互いに分離する位置及びコースの可能性が提供される。スロットガイドの形成の構成にて、最初に、作動レバーのコースと位置を定義することができ、その後、スロットガイドの適切な位置を決定することができる。スロットガイドと作動レバーの位置を定義した後に、ジョイントチェーンにより、トグルレバー又はドラッグレバーの原理に従って動作するジョイントチェーンを介して、作動レバーをスロットガイドと連結するスライド回転機構の運動学には、依然として十分な自由度が残っている。
【００１７】
特に、レバーアームと連結ユニットの対応する要素の間にジョイントチェーンが組み込まれているため、レバーアームの一端に固定されたハンドルが、下部の棚を上げた状態で配置されているため、下部の棚を上昇させたときに、上部の棚の上に配置された食器棚を引き出すことができるように作動レバーの動作は構成される。
この目的から、ジョイントチェーンは回転ジョイントのように互いに連結された２つのチェーンリンクを有するのが好ましい。
【００１８】
この実施形態の変形例の更なる改良例によれば、第２の連結ユニットの連結要素は少なくとも１つの回転アーム上に回転可能に配置されたスライド又は回転要素として構成され、該スライド又は回転要素はレバーアーム取付け部に配置され、特に形成されスロットガイドとして構成された対応する要素に案内されて、回転機構の回転動作を連続して制御する。
１つの好ましい実施形態の変形例によれば、第１の連結ユニット及び第２の連結ユニットのスロットガイドの少なくとも一部は入口領域を有するように形成される。
これにより、スロットガイド内のローラの簡単な連結が可能になる。
【００１９】
更なる好ましい実施形態の変形例によれば、第２の連結ユニットのスロットガイドの少なくとも一部は、部分的に円形に形成され、棚の上昇及び下降時の正確な連続制御を可能にする。
更なる好ましい実施形態の変形例によれば、第１の連結ユニットのスロットガイドの一部は、死点領域として構成されている。
【００２０】
従って、棚を上昇した上端部位置に固定することは、特にこの位置でスライド回転機構をロックする必要なしに、レバーユニットを死点を超えて回転させることによって簡単な方法で可能になる。これは、更なるロック要素なしで、棚が固定された上端位置が達成されることを意味し、更なる解除要素なしで再びそれを残すことも可能である。
【００２１】
更なる好ましい実施形態の変形例によれば、第１の連結ユニットのスロットガイドの一部は、最適な作動力曲線に適合された傾斜を有する。これは特に、ユーザがほぼ均一に力を加えて棚を上昇させることを可能にする。
本発明による家具及び本発明による家庭用器具が、上記のスライド回転機構によって区別される。
【図面の簡単な説明】
【００２２】
本発明の実施形態の変形例は、添付の図面に基づいて、以下により詳細に説明される。
【図１】スライド回転機構の第１の実施形態の変形例の斜視図を示し、該スライド回転機構は使用可能なスペース内に引き込まれた下部棚の位置で食器洗い機として構成された家庭用器具に設置されている。
【図２】図１に示される位置に棚が固定されているスライド回転機構の側面図を示す。
【図３】図１のスライド回転機構の左側面図を示し、図１に示す位置にて棚を省略している。
【図４】図１の家庭用器具及びスライド回転機構に対応した図であり、スライド回転機構を上昇させる前に、下部棚を本体から移動し終えた後である。
【図５】図２の家庭用器具及びスライド回転機構に対応した図であり、スライド回転機構を上昇させる前に、下部棚を本体から移動し終えた後である。
【図６】図３の家庭用器具及びスライド回転機構に対応した図であり、スライド回転機構を上昇させる前に、下部棚を本体から移動し終えた後である。
【図７】僅かに修正された実施形態の変形例によるスライド回転機構の図５に対応する図を示す。
【図８】僅かに修正された実施形態の変形例によるスライド回転機構の図６に対応する図を示す。
【図９】下部棚を僅かに上昇させた位置における図４に対応した図である。
【図１０】下部棚を僅かに上昇させた位置における図６に対応した図である。
【図１１】下部棚を完全に上昇させた位置における図９に対応した図である。
【図１２】下部棚を完全に上昇させた位置における図１０に対応した図である。
【図１３】図１２に示す実施形態の変形例によるスライド回転機構の分解斜視図である。
【図１４】代替の実施形態の変形例の図１に対応した図であり、２つのスロットガイドが回転アームの１つに配置されている。
【図１５】代替の実施形態の変形例の図２に対応した図であり、２つのスロットガイドが回転アームの１つに配置されている。
【図１６】代替の実施形態の変形例の図３に対応した図であり、２つのスロットガイドが回転アームの１つに配置されている。
【図１７】図１４に対応した図であって、スライド回転機構を上昇させる前に、下部棚を本体から移動し終えた後である。
【図１８】図１６に対応した図であって、スライド回転機構を上昇させる前に、下部棚を本体から移動し終えた後である。
【図１９】下部棚を僅かに上昇させた位置における図１７に対応した図である。
【図２０】下部棚を僅かに上昇させた位置における図１８に対応した図である。
【図２１】下部棚を完全に上昇させた位置におけるスライド回転機構の図１９に対応した図である。
【図２２】下部棚を完全に上昇させた位置におけるスライド回転機構の図２０に対応した図である。
【図２３】図１４乃至図２２に示すスライド回転機構の分解斜視図である。
【図２４】本発明によるスライド回転機構の更なる実施形態の変形例の図１に対応した図であり、下部棚が完全に引き込まれている。
【図２５】本発明によるスライド回転機構の更なる実施形態の変形例の図２に対応した図であり、下部棚が完全に引き込まれている。
【図２６】本発明によるスライド回転機構の更なる実施形態の変形例の図３に対応した図であり、下部棚が完全に引き込まれている。
【図２７】図２４に対応した図であり、スライド回転機構を上昇させる前に、下部棚を本体から移動し終えた後である。
【図２８】図２６に対応した図であり、スライド回転機構を上昇させる前に、下部棚を本体から移動し終えた後である。
【図２９】下部棚を僅かに上昇させた位置における図２７に対応した斜視図である。
【図３０】下部棚を僅かに上昇させた位置における図２８に対応した斜視図である。
【図３１】下部棚を完全に上昇させた位置における家庭用器具又はスライド回転機構の図２９に対応した図である。
【図３２】下部棚を完全に上昇させた位置における家庭用器具又はスライド回転機構の図３０に対応した図である。
【図３３】図２４乃至図３２によるスライド回転機構の分解斜視図である。
【図３４】本発明によるスライド回転機構の更なる実施形態の変形例の図１に対応した図であり、下部棚が完全に引き込まれている。
【図３５】本発明によるスライド回転機構の更なる実施形態の変形例の図２に対応した図であり、下部棚が完全に引き込まれている。
【図３６】本発明によるスライド回転機構の更なる実施形態の変形例の図３に対応した図であり、下部棚が完全に引き込まれている。
【図３７】図３４に対応した図であり、スライド回転機構を上昇させる前に、下部棚を本体から移動し終えた後である。
【図３８】図３５に対応した図であり、スライド回転機構を上昇させる前に、下部棚を本体から移動し終えた後である。
【図３９】下部棚を僅かに上昇させた位置における図３７に対応した斜視図である。
【図４０】下部棚を僅かに上昇させた位置における図３８に対応した斜視図である。
【図４１】下部棚を完全に上昇させた位置における家庭用器具又はスライド回転機構の図３９に対応した図である。
【図４２】下部棚を完全に上昇させた位置における家庭用器具又はスライド回転機構の図４０に対応した図である。
【図４３】更なる第３の棚を備えた下部棚を完全に上昇させた位置における家庭用器具又はスライド回転機構の図３９に対応した図である。
【図４４】更なる第３の棚を備えた下部棚を完全に上昇させた位置における家庭用器具又はスライド回転機構の図４０に対応した図である。
【図４５】図３４乃至図４４によるスライド回転機構の分解斜視図である。
【発明を実施するための形態】
【００２３】
以下の図面の記載において、頂部、底、左、右、前、後等の用語は、スライド回転機構、棚、回転アーム、レバーユニット、引出しガイド等の夫々の図において、例として選択された図及び位置にのみ関係する。これらの用語は限定的と理解されるべきでなく、即ち、これらの符号は、異なる動作位置又はミラー対称な構成などによって変更され得る。
【００２４】
本発明によるスライド回転機構の第１の実施形態の変形例が図１乃至図１３に示され、ここでは食器ラックの形をした下部棚９は、ここでは食器洗い機１として構成された家庭用器具の内部または使用可能なスペース２２から上昇して、押し込まれた下部位置から、使用可能なスペースから引き出され、上向きに回転したローディング及びアンローディング位置に持ち上げることができる。
【００２５】
図１４乃至図２３は、そのようなスライド回転機構の代替の第２の実施形態の変形例を示し、図１乃至図１３の変形例のように、第１の回転アーム４１及び第２の回転アーム４２は下部開始位置には垂直には整列されていない。しかし、むしろ大凡２０度で傾いて整列される。
【００２６】
この回転アームの４１、４２の角度付けられた整列により、第１の実施形態の変形例に対し、棚９が上端位置で前方に突出しすぎることなく、より大きな引き出し距離が下部位置で可能になるとの利点が提供される。下部引き出し位置における棚９へのアクセスは、完全に上昇した位置での本体２からの棚９の距離が、第１の実施形態の変形例における位置と異なることなく改善される。更に、角度付けられた整列により、回転経路が変更されている故に、レバーユニット５との衝突を起こすことなく、背の高い物体を棚に置くことができるとの利点が提供される。
【００２７】
ガイドレール３１とスライドレール３２との間の中間レールが考えられるが、必要ではない。引出しガイドの安定性と引出し距離が更なる中間レールによって増加する。
図２４乃至図３３は、本発明によるスライド回転機構の第３の実施形態の変形例を示す。
図３４乃至図４５は、本発明によるスライド回転機構の第４の実施形態の変形例を示す。
【００２８】
全ての変形例は、ガイドレール３１及びその中に直線的に変位可能なスライドレール３２を有し、その上に下部棚９が固定されている引出しガイド３の基本構造の特徴を共有している。
例えば、図１、図１４、図２４及び図３４に示すように、下部棚９に加えて、上部棚１０が下部棚の上に配置され、該上部棚１０はここでは食器洗い機１として構成された家庭用器具の使用可能なスペース２２に配置され、食器洗い機１の本体２の使用可能なスペース２２から更なる引出しガイド(ここには示されていない)を介して引き出すことができる。
【００２９】
同じ構成がまた、家具又は別の家庭用器具、例えばオーブンなどの調理器具又は冷蔵庫に配置された１つの棚９または２つの棚９、１０についても考えられる。
図１、図１４、図２４及び図３４に更に示すように、ここに示す食器棚のような棚９を十分に支えることができるように、家具又は家庭用器具の側壁２１の夫々にスライド回転機構を配置することが好ましい。
【００３０】
しかし、原則として、比較的運搬能力の小さい板状の棚等を固定する場合など、家具や家庭用器具の使用可能なスペースに１つだけのスライド回転機構を配置することも考えられる。
全ての変形例は更に、回転機構４の基本構造の特徴を共有する。図２、図１５、図２５及び図３５に示す回転機構４は夫々、側壁２１に回転可能に固定された２つの回転アーム４１、４２を有し、該回転アーム４１、４２は側壁２１の平面に平行な第１の端部を有し、互いに平行に離間して配置される。回転アーム４１、４２は、側壁取付け部４３上の夫々の回転ジョイント４１２、４２２を介して側壁取付け部４３に回転可能に固定される。
【００３１】
各引出しガイド３のガイドレール３１は、回転ジョイント４１１、４１２を介して回転アーム４１、４２の各第２の端部に固定される。
第２の回転アーム４２は、例えば、コイルばねまたはガス圧ばねの形態である力蓄積器６を介して、側壁取付け部４３に接続され、第２の回転アーム４２を回転させることにより、回転機構４の上昇及び/又は下降は力蓄積器６によって補助されるのが好ましい。更に又は或いは、力蓄積器６はまたダンパを有する。
【００３２】
更に、スライド回転機構の全ての実施形態の変形例は、レバーユニット５を有し、該レバーユニット５は、回転機構４の上昇及び下降を支援し、側壁２１の平面に平行にスライドレール３２に回転可能に固定される。
第１の連結ユニット７の少なくとも１つの連結要素が、前記レバーユニット５上に配置され、スライドレール３２を所定の回転位置に移動させることによって、回転アーム４１、４２の少なくとも１つの第１の連結ユニット７の連結要素に対応する要素と連結することができる。
【００３３】
全ての実施形態の変形例は更に、第２の連結ユニット８を有し、第２の連結ユニット８の少なくとも１つの連結要素がスライドレール３２又は棚９上に配置されて、連結要素は、スライドレール３２を所定の回転位置に移動させることによって、回転アーム４１、４２の少なくとも１つの第２の連結ユニット８の連結要素に対応する連結要素と結合することができる。
ここに示す実施形態の変形例にて、各連結ユニット７、８はローラ７１、８１と各ローラ７１、８１が案内されるスロットガイド７２、８２を有するのが好ましい。
【００３４】
この場合、スロットガイド８２の主たる仕事は、回転中に制御されないレールの動作を阻止することである。
スロットガイド７２は引き出し動作中にレバーアーム５１を案内するための少なくとも１つのスライド面、特に隆起面を有するように構成されるのが有利であり、スロットガイド７２又は回転アーム４１、４２上のレバーアーム５１の研削が阻止される。
【００３５】
或いは、図２６及び図３３の例に示されるように、少なくとも１つのスライド面４２３が回転アーム４１、４２上に配置される。
図２、図１５及び図２５に見られるように、第１の３つの実施形態の変形例において、第２の連結ユニット８のローラ８１は、スライドレール３２に固定されている。ローラ８１はここでは、スライドレール３２の引出し方向ｘの後部領域で、側壁取付け部４３の方向に上方に突出するローラ取付け部３５上に固定されるのが好ましい。
【００３６】
全ての実施形態の変形例は、スライドレール３２上に配置されたレバーアーム取付け部３４の特徴を共有し、その上にレバーアーム５１が回転可能に固定される。
前部領域において、レバーアーム取付け部はストッパ３４１を有し、ストッパ上でレバーアーム５１は下部位置にて停止し、ストッパはレバーアーム５１が下降しすぎることを阻止する。この目的から、対応する突起又は対応する曲げ部が、レバーアーム５１上に配備されるのが好ましい。
また、全ての実施形態の変形例において、上死点領域を有するスロットガイド７２の構成によって、レバーアーム５１が上昇端部位置で本体の方向に更に回転することができないことが保証される。レバーユニット５の本体との衝突は従って阻止される。
【００３７】
第１の実施形態の変形例の詳細は、図１乃至図１３に基づいて以下に記載される。
図１乃至図１３に示す第１の実施形態の変形例にて、図２及び図３に見られるように、第１の連結ユニット７の連結要素はローラ７１として構成され、該ローラ７１はレバーユニット５のレバーアーム５１の引出し方向ｘの後部領域にて固定される。
レバーユニット５の前端部は作動ハンドル５２として構成される。作動ハンドル５２は棚９の両側に配置された各スライド回転機構のレバーアーム５１を接続するのが好ましい。
【００３８】
この例示的な実施形態にて、レバーアーム５１は上部領域における安定性を増加すべく傾いた縁部５５を有する。レバーアーム５１の上縁部５５は、第１の回転アーム４１の上に配置されたストッパ４１３とともに、ガイド領域を形成し、それによって棚９は引出し動作中に上向きに回転することが阻止される。
従って、第１の連結ユニット７のスロットガイド７２は、ここでは、回転機構４の第１の回転アーム４１上にて第１の回転アーム４１の広く具体化された箇所に対応して形成される。
【００３９】
スロットガイド７２を別個の構成要素として形成し、それを回転アーム４１に固定することも考えられる。
本体２の使用可能なスペース２２からの下部棚９の引き出し動作中に、ローラ７１が第２の回転アーム４２を越えてスライドできるようにするため、第２の回転アーム４２は、ローラ７１の設置高さに対応する回転アーム４２の領域にビード４２４を有し、レバーアーム５１は、第２の回転アーム４２にぶつかることなく通過することができる。
【００４０】
連結要素及び対応する第１の連結ユニット７の対応する要素が互いに作動可能な接続を確立する所定の回転位置は、図４乃至図６で示す位置に達する直前であり、棚９は、本体２の使用可能なスペース２２から、回転機構４の助けを借りて棚９を持ち上げることができる位置に移動される。
特に図６に示すように、この位置にて、第１の連結ユニット７のローラ７１は第１の連結ユニット７のスロットガイド７２内に引き込まれる。同時に、第２の連結ユニット８のローラ８１は、第２の連結ユニット８のスロットガイド８２内に引き込まれ、該スロットガイド８２はここでは第２のレバーアーム４２内に形成される。
【００４１】
ローラ７１、８１をスロットガイド７２、８２に簡単に入れる(thread)ことができるようにするために、スロットガイド７２、８２は夫々、端面に丸みを帯びた又は漏斗状に形成された入口領域７３、８３を有するのが好ましい。棚９の完全に引き出された位置に到達する少し前に、入口領域７３が、早すぎる旋回に対してレバーアーム５１を固定することを引き継ぐ。
入口領域７３、８３は要件に応じて、ここで異なる長さで寸法が決められる。従って、特に図３は、比較的短い入口領域８３を有する第２の連結ユニット８を示し、一方、図８に示す代替の変形例では、入口領域８３は幾分長く寸法が定められ、それにより、棚９は全体として、本体２の使用可能なスペース２２から引出し方向ｘに幾分遠くまで引き出すことができる。
【００４２】
比較的長い入口領域８３を有するスロットガイド８２の特定の形状故に、棚９は回転中に引出し方向ｘと反対に移動する。
従って、下部の棚９への良好なアクセスは、上方向への回転中に棚９が食器洗い機１のドア２３を超えて突出することなく、スライド回転機構の下部引出し位置で可能になる。
第２の連結ユニット８のスロットガイド８２は、入口領域８３に隣接する部分円のような形状の部分を有するが(４つ全ての実施形態の変形例において)、第１の実施形態の変形例の第１の連結ユニット７のスロットガイド７２は、本質的に垂直に下向きに延びる部分は水平に延びる入口領域７３上に延び、その端部で垂直に角度を付けられた死点部分が次に延びるように形成される。
【００４３】
スロットガイド８２はまた、直線または自由形状の曲線として具体化することができ、これにより、回転中のスライドレール３２の走行経路を必要に応じて制御することができる。円形経路として形成することで、２つの回転アーム４１、４２の１つにスライドレールを固定することのみが生じる。
この死点部分は図１１及び図１２に示されるその上端位置に力を加えること無く、棚９を保持するために使用され、その結果、棚９は、ユーザによるさらなる作動なくして、この位置に留まる。
【００４４】
スロットガイド７２の形成は主に、最適な作動力曲線に適合された傾斜を指向する。この場合、回転工程中の作動力は、スロットガイド７２の形状を用途及び利用可能な回転範囲に意図的に変更することによって最適化することができる。
図９及び図１０は、食器洗い機及び回転機構４の僅かに上昇した位置を示し、第１の連結ユニット７のローラ７１は入口領域７３から既に次の箇所に入り、一方、第２の連結ユニット８のローラ８１は部分的な円のような形状の箇所への移行部に配置されている。
第２の実施形態の変形例の詳細は、図１４乃至図２３に基づいて、以下に記載される。
【００４５】
図１乃至図１３に示される変形例とは反対に、図１４乃至図２３に示す変形例では、第２の連結ユニット８のスロットガイド８２は、第１の連結ユニット７のスロットガイド７２と同じ回転アーム４１上に形成されている。
レバーアーム５１の縁部５５及び第１の回転アーム４１上のストッパ４１３はまた、この変形例では、棚９の引出し中にレバーアーム５１の早すぎる上昇に対して保護手段を形成する。
更に、図１４乃至図１６に示すように、回転アーム４１、４２は、棚９の下降位置に垂直に向けられていないが、むしろ引出し方向に１°から６０°、好ましくは１０°から３０°の角度で傾斜して配置され、これにより、棚９は回転アーム４１、４２の垂直配置よりも、食器洗い機の本体２の使用可能なスペース２２から遠くに移動することができる。
【００４６】
棚９及びスライド回転機構の上昇位置ではないが、完全に引き出された位置もここに図１７と図１８に示され、第１の連結ユニット７のローラ７１はスロットガイド７２の入口領域７３に入り、従って、第２の連結ユニット８のローラ８１も、第２のスロットガイド８２の入口領域８３に入る。スロットガイド７２は、この実施形態の変形例では、様々な曲線半径を有する曲線として形成される。
図１９及び図２０は、棚９の僅かに上昇した位置におけるこのスライド回転機構の第２の実施形態の変形例を示しており、ローラ７１、８１は第１の連結ユニット７のスロットガイド７２の曲線領域と、第２の連結ユニット８のスロットガイド８２の部分円のような形状の領域に入っている。
図２１及び図２２は、ローラ７１、８１が夫々のスロットガイド７２、８２の後端に到達した、スライド回転機構の上昇端部位置を示している。
【００４７】
スロットガイド７２もまた、この実施形態の変形例では、上昇端部位置において、棚９が追加のロック機構なしに固定位置に留まり、レバーユニット５を作動させることによってのみ再び下降するように形作られる。
様々な曲線半径を有する曲線としてのスロットガイド７２の実施形態により、死点領域への変わりやすい遷移を実施することが可能であり、これは、第１の実施形態の変形例よりも有利である。
【００４８】
死点と安全な端部位置との間の経路は、死点領域に近いスロットガイド７２の個々の構成によって簡単な方法で適合させることができる。
図２３は、スライド回転機構を再び分解斜視図で示している。
第３の実施形態の変形例は、図２４乃至図３３に基づいて以下に記載される。
図２４乃至図３３に示すスライド回転機構の第３の実施形態の変形例において、第１の連結ユニット７のスロットガイド７２は、回転アーム４１、４２の１つではなく、レバーアーム５１の後端に形成される。この実施形態の変形例では、スロットガイド７２は、連結要素を表す。
【００４９】
このレバーアーム５１の後端は、従ってより大きな面積を有するように形成される。
対応する要素としてここで形成されたローラ７１は、この場合、第１の回転アーム４１上に固定される。
従って、レバーアーム５１上に配置され、スロットガイド７２として形成された連結要素と、ローラ７１として形成され、第１の回転アーム４１上に配置された対応する要素との連結は、図２７及び図２８に示す最初に本体２の使用可能スペースから引き出された棚９の位置で行われる。
【００５０】
第１の連結ユニット７のスロットガイド７２もまた、入口領域７３及びその上に隣接する曲線を有するようにここに形成される。
下部の棚の引出し位置に達した後、上昇させる前に、連結ユニット７、８のローラ７１、８１もまた、ここで入口領域７３、８３に入り、図２９及び図３０に示すように、レバーアーム５１が上昇端部位置でほぼ垂直になり、ローラ７１、８１がスロットガイド７２、８２の後端に到達するまで、その後の上昇中に、スロットガイド７２、８２の夫々の曲線領域内でさらに移動する。
【００５１】
この実施形態では、上昇端部位置では、棚９は追加のロック機構なしに固定位置に留まり、レバーユニット５を作動させることによってのみ再び下降するようにスロットガイド７２は形作られる。
この実施形態の変形例のスライド回転機構の分解斜視図が図３３に再び示される。
第３の実施形態の変形例のローラ７１はまた、棚９の引き出し中に、レバーアーム５１の縁部５５がガイド面としてローラ７１の下に延びるという点で、レバーアーム５１の早すぎる回転を防ぐとの更なる機能を有する。
【００５２】
図３４乃至図４５は、本発明によるスライド回転機構の第４の実施形態の変形例を示す。
本発明によるスライド回転機構の先行する実施形態の変形例とは反対に、図３４乃至図４５に示す実施形態の変形例では、第１の連結ユニットのローラは、ハンドル部５２から離れたレバーアーム５１の端部に直接固定されていないが、むしろ、レバーアーム５１の端部から離れて配置された、レバーアーム５１に回転可能に接続されたジョイントチェーンの端部に固定されている。
ここで実施形態の変形例に示すジョイントチェーンは、２つのチェーンリンク５３、５４からなり、これらは夫々適切に形成された屈曲部を有する角度の付いたウェブとして形成されることが好ましい。２つ以上のそのようなチェーンリンクを互いにリンクして、ジョイントチェーンを形成することも考えられる。
【００５３】
第１の連結ユニット７のローラ７１は、例えば図３５、図３６又は図４５に示すように、第１のチェーンリンク５３から離れた第２のチェーンリンク５４の自由端部に回転可能に締結される。
図３６、図３８、図４０、図４２及び図４５に示すように、この例示的な実施形態において、第１の連結ユニット７のスロットガイド７２はまた、回転機構４の第１の回転アーム４１上にて、第１の回転アーム４１に対応して広く具体化された箇所に形成又は固定される。
第１の連結ユニット７のローラ７１はまた、棚９が図３４に示される引込み位置から図３７に示される引き出されたがまだ上昇されていない位置に移動する間に、スロットガイド７２に入れられる。
【００５４】
同時に、第２の連結ユニット８のローラ８１もまた、この移動中に、第２の連結ユニット８のスロットガイド８２の入口領域８３に案内される。
この実施形態の変形例にて、第２の連結ユニット８の連結要素は、第１の回転アーム４１上に回転可能に配置されたスライド要素又は回転要素８１として構成される。
このスライド要素又は回転要素８１は、対応する要素内の回転機構４の回転移動の連続した制御のために案内され、該対応する要素はレバーアーム５１のレバーアーム取付け部３４上に配置され、特に形成又は固定され、スロットガイド８２として構成されている。
【００５５】
ここに示されているように互いに連結されたチェーンリンク５３、５４を有するジョイントチェーンは、この場合、トグルレバー又はドラッグレバーの原理に従って作用する。
下部の棚９が上昇した端部位置に動かされる図４１乃至図４４に示す位置において、ジョイントチェーンの端部における第１の連結ユニット７のローラ７１の配置、ここでは第２のチェーンリンク５４の自由端部における第１の連結ユニット７のローラ７１の配置は、完全に上昇した位置において、上昇した下部の棚の上側に十分接近するように動かされ、使用可能なスペース２２の最上位領域にて、食器洗い機１又は他の家庭用器具又は家具に任意配置された、例えば食器バスケットとして構成された第３の棚１１は、上昇した下部の棚９とともに使用可能なスペース２２、即ち水平方向におけるハンドル部５２の上方から出るように移動される。
【符号の説明】
【００５６】
符号のリスト
１    食器洗い機
２    本体
２１  側壁
２２  使用可能なスペース
２３  ドア
３    引出しガイド
３１  ガイドレール
３２  スライドレール
３４  レバーアーム取付け部
３５  ローラ取付け部
４    回転機構
４１  第１の回転レバー
４１１  回転ジョイント
４１２  回転ジョイント
４１３  ストッパ
４２  第２の回転レバー
４２１  回転ジョイント
４２２  回転ジョイント
４２３  スライド面
４２４  ビード
４３  側壁取付け部
５    レバーユニット
５１  レバーアーム
５２  ハンドル部
５３  第１のチェーンリンク
５４  第２のチェーンリンク
５５  縁部
６    力蓄積器
７    第１の連結ユニット
７１  ローラ
７２  スロットガイド
７３  入口領域
８    第２の連結ユニット
８１  ローラ
８２  スロットガイド
８３  入口領域
９    棚
１０  棚
１１  棚
Ｘ    引出し方向
【図１】
2021524301.tif 000003
【図２】
2021524301.tif 000004
【図３】
2021524301.tif 000005
【図４】
2021524301.tif 000006
【図５】
2021524301.tif 000007
【図６】
2021524301.tif 000008
【図７】
2021524301.tif 000009
【図８】
2021524301.tif 000010
【図９】
2021524301.tif 000011
【図１０】
2021524301.tif 000012
【図１１】
2021524301.tif 000013
【図１２】
2021524301.tif 000014
【図１３】
2021524301.tif 000015
【図１４】
2021524301.tif 000016
【図１５】
2021524301.tif 000017
【図１６】
2021524301.tif 000018
【図１７】
2021524301.tif 000019
【図１８】
2021524301.tif 000020
【図１９】
2021524301.tif 000021
【図２０】
2021524301.tif 000022
【図２１】
2021524301.tif 000023
【図２２】
2021524301.tif 000024
【図２３】
2021524301.tif 000025
【図２４】
2021524301.tif 000026
【図２５】
2021524301.tif 000027
【図２６】
2021524301.tif 000028
【図２７】
2021524301.tif 000029
【図２８】
2021524301.tif 000030
【図２９】
2021524301.tif 000031
【図３０】
2021524301.tif 000032
【図３１】
2021524301.tif 000033
【図３２】
2021524301.tif 000034
【図３３】
2021524301.tif 000035
【図３４】
2021524301.tif 000036
【図３５】
2021524301.tif 000037
【図３６】
2021524301.tif 000038
【図３７】
2021524301.tif 000039
【図３８】
2021524301.tif 000040
【図３９】
2021524301.tif 000041
【図４０】
2021524301.tif 000042
【図４１】
2021524301.tif 000043
【図４２】
2021524301.tif 000044
【図４３】
2021524301.tif 000045
【図４４】
2021524301.tif 000046
【図４５】
2021524301.tif 000047
【国際調査報告】
2021524301.tif 000048
2021524301.tif 000049
2021524301.tif 000050
2021524301.tif 000051